(57)【要約】【課題】外力により遮蔽板の損壊や脱落などが起こらない内蔵式防塵装置付きコネクタを提供する。【解決手段】挿入穴１１を有し、スライド溝１２が設けてあり、スライド溝１２が挿入穴１１と交差する本体１０と、信号出力端２１が挿入穴１１に位置合わせられ、スライド溝１２の後方に位置される電子装置２０と、本体１０のスライド溝１２に摺動自在に設けられる遮蔽板３０と、弾性アーム４１を有し、その自由端４１１が遮蔽板３０に連接され、遮蔽板３０が常時挿入穴１１の入り口を遮蔽し、弾性アーム４１の中段４１２が挿入穴１１に挿入され、プラグを挿入穴１１に挿入しているときに弾性アーム４１がプラグに圧迫されて弾性アーム４１と連動する遮蔽板３０が挿入穴１１の入り口を遮蔽しなくなり、プラグは電子装置２０と交信可能になる弾性子４０と、を有する。【選択図】図１
0003135572.tif 000002
【実用新案登録請求の範囲】
【請求項１】
挿入穴とスライド溝が設けてあり、前記スライド溝が前記挿入穴と交差する本体と、
信号出力端が前記挿入穴に位置合わせられ、前記スライド溝の後方に位置される電子装置と、
前記本体のスライド溝に摺動自在に設けられる遮蔽板と、
弾性アームを有し自由端が前記遮蔽板に連接され、前記遮蔽板が常時前記挿入穴の入り口を遮蔽し、前記弾性アームの中段が前記挿入穴に挿入され、プラグを前記挿入穴に挿入しているときに、前記弾性アームが前記プラグに圧迫されて前記弾性アームと連動する前記遮蔽板が前記挿入穴の入り口を遮蔽しなくなり、前記プラグは前記電子装置と交信可能になる弾性子と、
を有することを特徴とする内蔵式防塵装置付きコネクタ。
【請求項２】
前記本体の後端には、前記挿入穴と連通する収容穴が凹設してあり、前記電子装置の信号出力端が前記挿入穴に位置合わせられるように前記電子装置が前記収容穴に収容され、且つ前記本体の前端には嵌合穴が設けてあり、前記嵌合穴に連接された後カバーにより前記電子装置が安定に位置決められることを特徴とする請求項１に記載の内蔵式防塵装置付きコネクタ。
【請求項３】
前記本体の底部には位置決めピンが凸設してあることを特徴とする請求項１に記載の内蔵式防塵装置付きコネクタ。
【請求項４】
前記電子装置は光ファイバ信号伝送装置であることを特徴とする請求項１に記載の内蔵式防塵装置付きコネクタ。
【請求項５】
前記弾性子は、前記本体の嵌合溝に嵌合された固定片を有し、前記固定片から弾性アームが伸び出しており、前記本体の挿入穴に前記弾性アームの中段を挿入した後、前記弾性アームの自由端は前記遮蔽板の固定穴と連結して前記遮蔽板を連動可能であることを特徴とする請求項１に記載の内蔵式防塵装置付きコネクタ。
【請求項６】
前記本体のスライド溝には二つの遮蔽板が摺動自在に設けてあり、前記二つの遮蔽板は前記本体内に嵌合された弾性子にある弾性アームにそれぞれ連動され、且つ前記二つの遮蔽板は、対向している端部が常時互いに当接して前記本体の挿入穴を閉塞し、プラグを前記挿入穴に挿入しているときに、前記二つの弾性子の弾性アームが前記プラグに圧迫され、前記弾性アームと連動する前記二つの遮蔽板が前記挿入穴の入り口を遮蔽しなくなることを特徴とする請求項１に記載の内蔵式防塵装置付きコネクタ。
【考案の詳細な説明】
【技術分野】
【０００１】
本考案は内蔵式防塵装置付きコネクタに係り、特に、コネクタの本体の内部に遮蔽板が摺動自在に設けてあり、遮蔽板は、弾性子に連動され、本体の挿入穴を常時閉塞し、挿入穴にプラグを挿入時に、弾性子が圧迫されて、遮蔽板が挿入穴を遮蔽しなくなる内蔵式防塵装置付きコネクタに関するものである。
【背景技術】
【０００２】
光ファイバ回線用のコネクタは一般に本体を有し、前記本体に挿入穴が凹設してあり、前記挿入穴の底端に電子装置が組付けてあり、挿入穴にプラグを挿入すると、プラグと電子装置とは交信可能になる。
光ファイバ回線の信号の伝送は光の屈折によるので、光線の進行経路にホコリがあると、信号の伝送に悪影響を及ぼす。したがって、市販している光ファイバ回線用のコネクタは、本体の挿入穴の前端に遮蔽板を枢着し、前記遮蔽板により、本体の挿入穴の入り口が遮蔽され、外部のホコリが挿入穴に侵入して電子装置を汚染することを防止可能である。
【考案の開示】
【考案が解決しようとする課題】
【０００３】
しかしながら、従来の光ファイバ回線用のコネクタは、遮蔽板が挿入穴の外部に設けられるので、輸送や製造の過程中に、外力を受けると、遮蔽板の損壊や脱落などが起こり易いという欠点があった。
【課題を解決するための手段】
【０００４】
上記欠点を解決するためになされた本考案は、挿入穴を有し、スライド溝が設けてあり、前記スライド溝が前記挿入穴と交差する本体と、信号出力端が前記挿入穴に位置合わせられ、前記スライド溝の後方に位置される電子装置と、前記本体のスライド溝に摺動自在に設けられる遮蔽板と、弾性アームを有し、その自由端が前記遮蔽板に連接されて、前記遮蔽板が常時前記挿入穴の入り口を遮蔽し、前記弾性アームの中段が前記挿入穴に挿入され、プラグを前記挿入穴に挿入しているときに、前記弾性アームが前記プラグに圧迫されて、前記弾性アームと連動する前記遮蔽板が前記挿入穴の入り口を遮蔽せず、前記プラグは前記電子装置と交信可能になる弾性子と、を有することを特徴とする内蔵式防塵装置付きコネクタである。
【０００５】
本考案では、前記本体の後端には、前記挿入穴と連通する収容穴が凹設してあり、前記電子装置の信号出力端が前記挿入穴に位置合わせられるように、前記電子装置が前記収容穴に収容され、且つ前記本体の前端には嵌合穴が設けてあり、前記嵌合穴に連接された後カバーにより前記電子装置が安定に位置決められてもよい。
本考案では、前記本体の底部には位置決めピンが凸設してあってもよい。
【０００６】
本考案では、前記電子装置は光ファイバ信号伝送装置であってもよい。
前記弾性子は、前記本体の嵌合溝に嵌合された固定片を有し、前記固定片から弾性アームが伸び出しており、前記本体の挿入穴に前記弾性アームの中段を挿入した後、前記弾性アームの自由端は前記遮蔽板の固定穴と連結して前記遮蔽板を連動可能であってもよい。
【０００７】
前記本体のスライド溝には二つの遮蔽板が摺動自在に設けてあり、前記二つの遮蔽板は前記本体内に嵌合された弾性子にある弾性アームにそれぞれ連動される。前記二つの遮蔽板は、その対向している端部が常時互いに当接して前記本体の挿入穴を閉塞し、プラグを前記挿入穴に挿入しているときに、前記二つの弾性子の弾性アームが前記プラグに圧迫され、前記弾性アームと連動する前記二つの遮蔽板が前記挿入穴の入り口を遮蔽しなくなってもよい。
【０００８】
（考案の効果）
本考案の内蔵式防塵装置付きコネクタによれば、コネクタの本体の内部に遮蔽板が摺動自在に設けてあり、遮蔽板は、弾性子に連動され、本体の挿入穴を常時閉塞し、挿入穴にプラグを挿入しているときに、弾性子が圧迫されて、遮蔽板が挿入穴を遮蔽しなくなる効果を有する。
【考案を実施するための最良の形態】
【０００９】
以下、添付図面を参照して本考案の好適な実施の形態を詳細に説明する。
図１から図５を参照する。本考案の一実施例による内蔵式防塵装置付きコネクタは、挿入穴１１を有し、スライド溝１２が設けてあり、前記スライド溝１２が前記挿入穴１１と交差する本体１０と、信号出力端２１が前記挿入穴１１に位置合わせられ、前記スライド溝１２の後方に位置される電子装置２０と、前記本体１０のスライド溝１２に摺動自在に設けられる遮蔽板３０と、を有する。さらに、弾性アーム４１を有し、その自由端４１１が前記遮蔽板３０に連接されて前記遮蔽板３０が常時前記挿入穴１１の入り口を遮蔽し、前記弾性アーム４１の中段４１２が前記挿入穴１１に挿入され、プラグ５０を前記挿入穴１１に挿入しているときに前記弾性アーム４１が前記プラグ５０に圧迫され、前記弾性アーム４１と連動する前記遮蔽板３０が前記挿入穴１１の入り口を遮蔽しなくなり、前記電子装置２０が露出するようになって、前記プラグ５０は前記電子装置２０と交信可能になる弾性子４０を有する。
【００１０】
図１及び図２に示すように、前記本体１０の後端には、前記挿入穴１１と連通する収容穴１３が凹設してあり、前記電子装置２０の信号出力端２１が前記挿入穴１１に位置合わせられるように、前記電子装置２０が前記収容穴１３に収容される。前記本体１０の前端には嵌合穴１４が設けてあり、前記嵌合穴１４に連接された後カバー１５により前記電子装置２０が安定に位置決められる。
【００１１】
前記本体１０の底部には位置決めピン１６が凸設してあり、前記位置決めピン１６が一つの回路板（図示せず）に設けられた固定穴に挿入されることにより、前記本体１０が安定に位置決められる。
本実施例の内蔵式防塵装置付きコネクタは、前記電子装置２０が光ファイバ信号伝送装置であり、すなわち、前記電子装置２０が光ファイバ用コネクタである。
【００１２】
図１から図５を参照する。前記弾性子４０は、前記本体１０の嵌合溝１７に嵌合された固定片４２を有し、前記固定片４２から弾性アーム４１が伸び出しており、前記本体１０の挿入穴１１に前記弾性アーム４１の中段４１２を挿入した後、前記弾性アーム４１の自由端４１１は前記遮蔽板３０の固定穴３１と連結して前記遮蔽板３０を連動可能である。
【００１３】
本実施例の内蔵式防塵装置付きコネクタは、前記本体１０のスライド溝１２には二つの遮蔽板３０が摺動自在に設けてあり、前記二つの遮蔽板３０は前記本体１０内に嵌合された弾性子４０にある弾性アーム４１にそれぞれ連動される。前記二つの遮蔽板３０は、その対向している端部が常時互いに当接して前記本体１０の挿入穴１１を閉塞し、プラグ５０を前記挿入穴１１に挿入しているときに、前記二つの弾性子４０の弾性アーム４１が前記プラグ５０に圧迫されて、前記弾性アーム４１と連動する前記二つの遮蔽板３０が前記挿入穴１１の入り口を遮蔽しなくなり、図５に示すように、前記プラグ５０は前記電子装置２０と交信可能になる。
【００１４】
次に、本実施例の使用状態を詳細に説明する。本実施例の内蔵式防塵装置付きコネクタでは、遮蔽板３０は、本体１０に摺動自在に設けられ、弾性子４０に連動され常時本体１０の挿入穴１１を遮蔽し、プラグ５０を前記挿入穴１１に挿入しているときに、前記弾性子４０が前記遮蔽板３０を連動して、前記遮蔽板３０が前記挿入穴１１の入り口を遮蔽しなくなり、前記電子装置２０が露出するようになって、前記プラグ５０は前記電子装置２０と交信可能になる。なお、前記プラグ５０を引き出しているときに、前記弾性子４０が自動的に回復し、ひいては前記弾性子４０に連動される遮蔽板３０が再び前記挿入穴１１の入り口を遮蔽するようになり、外部のホコリが挿入穴１１に侵入して電子装置を汚染することを防止する。
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１５】
【図１】本考案の一実施例による内蔵式防塵装置付きコネクタの斜視図である。
【図２】本考案の一実施例による内蔵式防塵装置付きコネクタの別の視点から見た斜視図である。
【図３】本考案の一実施例による内蔵式防塵装置付きコネクタの組合状態の斜視図である。
【図４】図３における４‐４方向の断面図である。
【図５】本考案の一実施例による内蔵式防塵装置付きコネクタにプラグを挿入した状態を示す断面図である。
【符号の説明】
【００１６】
１０：本体、１１：挿入穴、１２：スライド溝、１３：収容穴、１４：嵌合穴、１５：後カバー、１６：位置決めピン、  １７：嵌合溝、２０：電子装置、  ２１：信号出力端、３０：遮蔽板、３１：固定穴、４０：弾性子、４１：弾性アーム、４２：固定片、５０：プラグ、４１１：自由端、４１２：中段
【図１】
0003135572.tif 000003
【図２】
0003135572.tif 000004
【図３】
0003135572.tif 000005
【図４】
0003135572.tif 000006
【図５】
0003135572.tif 000007